(57)【要約】【課題】  【解決手段】  略角柱状の本体２の両端に、互いに回動可能に結合し得るヒンジ部３を形成し、当該ヒンジ部３に軸杭５を挿通する透孔６を穿設して単位素片１とする。またこの単位素片１を長さ方向に軸杭５で結合し、必要に応じて高さ方向にも積み重ねて、壁体とする。【効果】  単位素片１を回動自在に結合することができるので、その単位素片１を長さ方向に接続して自由な形状の壁体８を形成することができ、また必要に応じて高さ方向にも積み重ねることにより、壁体の高さも自由に設定することができる。またその単位素片１は略角柱状であり、その長さや厚さ、高さは自由に設定することができ、またその側面には自由なデザインを施すことも可能であり、デザイン上の選択の幅は極めて広い。【選択図】          図１
2005348680.tif 000002
【特許請求の範囲】
【請求項１】
略角柱状の本体（２）の両端に、互いに回動可能に結合し得るヒンジ部（３）を形成し、当該ヒンジ部（３）に軸杭（５）を挿通する透孔（６）を穿設したことを特徴とする、壁体の単位素片
【請求項２】
前記ヒンジ部（３）が、単位素片（１）の端末からその厚さ方向の一部を突出させてなるヒンジ片（４）を有し、単位素片（１）におけるヒンジ片（４）を除く部分の端面に側方向に傾斜面（７）を形成してなることを特徴とする、請求項１に記載の壁体の単位素片
【請求項３】
請求項１又は２に記載の単位素片（１）を複数個所望の経路に沿って配置し、各単位素片（１）の前記ヒンジ部（３）において隣接する単位素片（１）と結合すると共に、前記透孔（６）を貫通して軸杭（５）を地面に打ち込んで固定し、必要に応じて単位素片（１）を高さ方向にも積み重ねてなることを特徴とする、壁体
【発明の詳細な説明】
【技術分野】
【０００１】
本発明は壁体及びその単位素片に関するものであって、特に公園や庭などに設置された花壇などの周囲を囲繞する壁体及び、多数の単位素片を組み合わせることにより当該壁体を構成する単位素片に関するものである。
【背景技術】
【０００２】
従来から、公園や家庭の庭などにおいて花壇を設置するときには、花壇の土が周囲に流出するのを防止するために、花壇の周囲をレンガやコンクリートブロックなどで囲繞して縁枠を形成することが行われている。
【０００３】
また花壇を囲繞するレンガなどに代わる部材として、デザインや作業性などを考慮して種々のものが提案されている。その一例として、特開２０００−１０６７５４号公報に記載されたものが知られている。
【０００４】
このものは特殊な形状の単位素片を千鳥状に積み上げ、それをジョイント棒で地面に固定するものであって、任意の経路に沿って壁体を設置し、花壇を囲繞することができるようにしたものである。
【０００５】
しかしながら前記特開２０００−１０６７５４号公報に記載されたものは、その単位素片の形状が限定されており、それを組み合わせて形成される壁体のデザインも限定されるものであり、デザイン上の変化に乏しい。
【０００６】
また構造上単位素片を過度に大きくすることが困難であるため、この単位素片を地面に固定するためには、短い間隔で多数のジョイント棒を打ち込むことが必要であり、設置に手間がかかる。
【特許文献１】特開２０００−−１０６７５４号公報
【発明の開示】
【発明が解決しようとする課題】
【０００７】
本発明はかかる事情に鑑みなされたものであって、単位素片を積み上げてその両端において隣接する単位素片と組み合わせ、軸杭で地面に固定する構造であって、デザイン的にも選択の幅が広く、且つ設置が容易で簡単に壁体を形成することができるようにすることを目的とするものである。
【課題を解決するための手段】
【０００８】
而して本発明の壁体の単位素片は、略角柱状の本体の両端に、互いに回動可能に結合し得るヒンジ部を形成し、当該ヒンジ部に軸杭を挿通する透孔を穿設したことを特徴とするものである。
【０００９】
本発明においては、前記ヒンジ部が、単位素片の端末からその厚さ方向の一部を突出させてなるヒンジ片を有し、単位素片におけるヒンジ片を除く部分の端面に側方向に傾斜面を形成してなるものとすることが好ましい。
【００１０】
また本発明の壁体は、前記単位素片を複数個所望の経路に沿って配置し、各単位素片の前記ヒンジ部において隣接する単位素片と結合すると共に、前記透孔を貫通して軸杭を地面に打ち込んで固定し、必要に応じて単位素片を高さ方向にも積み重ねてなることを特徴とするものである。
【発明の効果】
【００１１】
本発明によれば、単位素片を回動自在に結合することができるので、その単位素片を長さ方向に接続して自由な形状の壁体を形成することができ、また必要に応じて高さ方向にも積み重ねることにより、壁体の高さも自由に設定することができる。
【００１２】
またその単位素片は略角柱状であり、その長さや厚さ、高さは自由に設定することができ、またその側面には自由なデザインを施すことも可能であり、デザイン上の選択の幅は極めて広い。
【００１３】
さらに請求項２の単位素片を使用することにより、隣接する単位素片を鋭角に接続することが可能となり、三角形、星形などの鋭角を含む形状を囲繞することもでき、花壇などの形状の選択の幅をさらに拡げることができる。
【発明を実施するための最良の形態】
【００１４】
以下本発明の実施の形態を図面に従って説明する。図１は本発明の壁体の単位素片１を示すものであって、その本体２は略角柱状をなしており、その本体２の両端には、互いに回動可能に結合し得るヒンジ部３が形成されている。
【００１５】
前記ヒンジ部３は、本体２の端末からその本体２の厚さ方向の略１／２を突出させてヒンジ片４を形成しており、当該ヒンジ片４には軸杭５を挿通するための透孔６が穿設されている。
【００１６】
そして図２に示すように、隣接する単位素片１のヒンジ片４を組み合わせて透孔６に軸杭５を挿通することにより、単位素片１同士が回動可能に結合される。またこの例においては、単位素片１におけるヒンジ片４を除く部分の端面に側方向に傾斜面７が形成されており、図２における単位素片１ｂ，１ｃに示されるように、二つの単位素片１を鋭角に結合することもできる。
【００１７】
そしてこれらの単位素片１を組み合わせて、壁体８を形成することができる。すなわち、前記単位素片１を複数個、所望の経路に沿って地面上に配置し、各単位素片１の前記ヒンジ部３において、ヒンジ片４と隣接する単位素片１のヒンジ片４とを重ね合わせて結合し、軸杭５を前記透孔６を貫通して地面に打ち込んで固定することにより、地面上を囲繞した壁体８を形成するのである。
【００１８】
また必要に応じて、単位素片１を高さ方向にも複数段に積み重ねて、軸杭５でそれらの単位素片１の透孔６を一括して貫通して地面に打ち込んで固定することにより、より高い壁体８を形成することもできる。
【００１９】
軸杭５は釘状に抜け止めの頭部を形成することもできるが、図１に示すように頭部を形成しないことにより、単位素片１を一段に並べた壁体８を形成した後、所望により軸杭５に透孔６を嵌めて単位素片１を積み重ねて高さを増したり、単位素片１を軸杭５から抜き取ったりして単位素片１の段数を増減することも可能である。
【００２０】
単位素片１の材質は特に限定されるものではないが、花壇の縁枠を形成するために使用する場合であれば、土や水で変質したり太陽光で劣化したりすることのない素材が好ましく、プラスチック、硬質の木、コンクリート、金属などが適している。
【００２１】
単位素片１の大きさは形成する壁体の大きさや目的によっても異るが、一般家庭における小型の花壇の縁枠として使用する場合であれば、各単位素片１の長さは１０〜３０cm程度、幅は３〜６cm程度、高さは３〜１０cm程度とするのが適当である。また形成する壁体の形状や使用状況によっては、幅や高さは同一で長さがより長大なものや短小なものと組み合わせることも可能である。
【００２２】
図３は本発明により形成した壁体８の例を示すものであって、（ａ）は単位素片１をヒンジ部３において隣接する単位素片１と角度をもって接続して五稜星形に配置し、それを二段に積み重ねたものである。
【００２３】
また（ｂ）は単位素片１を接続して略正方形状に配置し、それを二段に積み重ねて外郭壁体８ａを形成し、さらにその外郭壁体８ａ内に、これも単位素片１を接続して外郭壁体８ａよりも一回り小さい略正方形状に配置し、それを三段に積み重ねた内郭壁体８ｂを形成したものである。
【００２４】
単位素片１を組み合わせて形成する壁体８の形状は、これら二つに限定されるものではなく、任意の形状の壁体８を形成することができる。また壁体８で地面を囲繞した後は、その壁体８内に土を入れて花卉を植え、花壇とすることができる。
【００２５】
図４は本発明の単位素片１におけるヒンジ部３の他の例を示すものであって、単位素片１の一端部には上下に対向して一対のヒンジ片４ａを形成し、他端部には厚み方向の中央部にヒンジ片４ｂを形成し、当該ヒンジ片４ｂを隣接する単位素片１の前記ヒンジ片４ａ間に嵌合するようにしたものである。
【００２６】
本発明によれば、単位素片１の本体２は単純な角柱状であるため、その側面には自由にデザインを施すことができる。図５は単位素片１の側面に若干の変形を施すことにより、壁体８にデザインを施した例を示すものである。
【００２７】
（ａ）は単位素片１の本体２の側面に上下に凹溝９を形成したものであって、単位素片１を積み重ねて壁体８を形成したときに、前記凹溝９が上下に連続し、当該壁体８の側面に縦縞模様を表したものである。
【００２８】
（ｂ）は本体２の側面と上下面との角部に陥凹部１０を形成したものであって、単位素片１を積み重ねて壁体８を形成したときに、上下の単位素片１の前記陥凹部１０が合体して、壁体８の側面に楕円形の窪みをちりばめた模様が表れる。
【００２９】
また（ｃ）は本体２の側面と上下面との角部を大きめに面取り１１を形成したものであって、壁体８の側面には上下の単位素片１の境界の沿って面取り１１による凹溝が横縞模様となって表れる。
【００３０】
壁体８に表されるデザインはこれらに限定されるものではなく、単位素片１に種々の変形を施すことにより壁体８に各種のデザインを施すことができ、また図５に示されるような凹凸模様に限らず、単位素片１に線画、塗り分けなどによる各種のデザインを施すことも可能である。
【産業上の利用可能性】
【００３１】
本発明は花壇の外枠としての壁体８を形成する場合に限定されるものではなく、類似の目的で地面を囲繞するための壁体を形成する場合に広く使用することができ、また壁体は必ずしも地面を囲繞するものであることを要せず、一部が開放された形状に形成することもできる。さらには単位素片１をより高く積み重ねることにより、敷地の塀や垣根として使用することも可能である。
【図面の簡単な説明】
【００３２】
【図１】本発明の単位素片の一例を示す斜視図
【図２】単位素片を接続して形成した壁体の一部を示す平面図
【図３】本発明の壁体の具体例を示す斜視図
【図４】本発明の単位素片の他の例を示す斜視図
【図５】壁体の側面にデザインを施した例を示す斜視図
【符号の説明】
【００３３】
１  単位素片
２  本体
３  ヒンジ部
４  ヒンジ片
５  軸杭
６  透孔
７  傾斜面
８  壁体
【図１】
2005348680.tif 000003
【図２】
2005348680.tif 000004
【図３】
2005348680.tif 000005
【図４】
2005348680.tif 000006
【図５】
2005348680.tif 000007